(57)【要約】【課題】幼児施設でも火災時において容易に発見されることができる消火器設置具を提供する。【解決手段】縦長の扉２を備えるとともに、消火器の設置を示す表記３が扉２にされた消火器ボックス１であって、扉２が、一体物で縦長の注目部２０を具備し、注目部２０が、扉２における表記３および注目部２０以外の部分と異なる色にされ、注目部２０が、胴部２５と、この胴部２５の上方に接続された頭部２２と、この頭部２２から上方に突出した２つの突出部２１と、胴部２５から下方に突出した２つの脚部２６とを有し、注目部２０が、扉２に貼り付けられたシールであり、シールが、扉２に貼り付けられるための熱溶融型の粘着剤を有し、注目部２０が、その表面に光沢性を有する。【選択図】図１
0003190679.tif 000002
【実用新案登録請求の範囲】
【請求項１】
縦長の正面板を備えるとともに、消火器の設置を示す表記が正面板にされた消火器設置具であって、
上記正面板が、一体物で縦長の注目部を具備し、
上記注目部が、正面板における表記および注目部以外の部分と異なる色にされたものであることを特徴とする消火器設置具。
【請求項２】
注目部が、胴部と、この胴部の上方に接続された頭部と、この頭部から上方に突出した突出部と、上記胴部から下方に突出した２つの脚部とを有することを特徴とする請求項１に記載の消火器設置具。
【請求項３】
注目部が、その表面に光沢性を有するものであることを特徴とする請求項１または２に記載の消火器設置具。
【考案の詳細な説明】
【技術分野】
【０００１】
本考案は、消火器設置具に関するものである。
【背景技術】
【０００２】
消火器は、建物の火災時に備えて、消火器ボックスなどの消火器設置具に設置された上で、建物における所定の場所に配置される。そして、建物の火災時には、消火器が消火器設置具から取り出されて消火活動に使用される。このため、図６および図７に示すように、現状の消火器ボックス１０は、その扉２に「消火器」の設置を示す表記３がされることで、火災時に容易に発見されるように工夫されている。
【０００３】
従来考案された消火器設置具としては、消火器全体を覆うケースの頂点に視認灯が設けられたものがある（例えば、特許文献１参照）。この消火器設置具（消火器用ケース）は、上記視認灯により遠隔からでも視認を容易にする。
【先行技術文献】
【特許文献】
【０００４】
【特許文献１】実用新案登録第３０２９８６０号公報
【考案の概要】
【考案が解決しようとする課題】
【０００５】
ところで、上記特許文献１に記載のも含めて現状の消火器設置具は、その正面部分において、「消火器」の設置を示す表記３や視認灯はあるものの、それ以外は単調な形態である。具体的に説明すると、図６および図７に示すように、現状の消火器ボックス１０は、「消火器」の設置を示す表記３以外が単一の色（例えば白一色）にされている。この構成だと、火災時において、上記表記３が燃焼または落下物などにより判読できない程度に損傷を受けた場合、火災により興奮状態にある人が、消火器ボックス１０を発見できないという危険性がある。
【０００６】
また、「消火器」という漢字は多くの幼児にとって読めない文字であるから、幼児が多くいる施設（例えば幼稚園などであり、以下では幼児施設と略す）だと、火災時に幼児による消火器ボックス１０の発見を期待できない。このため、幼児施設では尚更、火災時において、幼児の避難誘導にも忙しい施設職員が、消火器ボックス１０を発見できないという危険性がある。
【０００７】
そこで、本考案は、幼児施設でも火災時において容易に発見されることができる消火器設置具を提供することを目的とする。
【課題を解決するための手段】
【０００８】
上記課題を解決するため、本考案の請求項１に係る消火器設置具は、縦長の正面板を備えるとともに、消火器の設置を示す表記が正面板にされた消火器設置具であって、
上記正面板が、一体物で縦長の注目部を具備し、
上記注目部が、正面板における表記および注目部以外の部分と異なる色にされたものである。
【０００９】
また、本考案の請求項２に係る消火器設置具は、請求項１に記載の消火器設置具における注目部が、胴部と、この胴部の上方に接続された頭部と、この頭部から上方に突出した突出部と、上記胴部から下方に突出した２つの脚部とを有するものである。
【００１０】
さらに、本考案の請求項３に係る消火器設置具は、請求項１または２に記載の消火器設置具における注目部が、その表面に光沢性を有するものである。
【考案の効果】
【００１１】
上記消火器設置具によると、正面板に具備される一体物で縦長の注目部が十分な注目度を有するので、幼児施設でも火災時において容易に発見されることができる。
【図面の簡単な説明】
【００１２】
【図１】本考案の実施の形態に係る消火器ボックスを示す正面図である。
【図２】本考案の実施例１に係る消火器ボックスを示す正面図である。
【図３】本考案の実施例２に係る消火器ボックスを示す正面図である。
【図４】本考案の実施の形態に係る壁埋込型の消火器ボックスを示す斜視図である。
【図５】本考案の実施の形態に係る消火器設置台を示す斜視図である。
【図６】従来の消火器ボックスを示す斜視図である。
【図７】従来の消火器ボックスを示す正面図であり、（ａ）が扉の閉じた状態を示し、（ｂ）が扉の開いた状態を示す。
【考案を実施するための形態】
【００１３】
以下、本考案の実施の形態に係る消火器設置具について図面に基づき説明する。なお、本実施の形態では、消火器設置具の一例として、消火器を収納するための消火器ボックスについて説明する。
【００１４】
消火器ボックスは、従来のものと同じ構成として、図１、図６および図７に示すように、消火器Ｅが縦置きで収納され得る筐体５と、この筐体５の正面における開口を開閉し得る扉（正面板の一例である）２とを有する。上記扉２は、図７に示すように、片開き式であり、開閉側に指掛用の穴部４が形成されている。また、上記扉２は、上記筐体５が消火器Ｅを縦置きで収納し得るものであるから、当然ながら縦長である。さらに、上記扉２の上部には、消火器Ｅの設置を示す表記３がされている。この表記３は、一例として、長方形に着色された（例えば赤色）背景部と、この背景部に白抜きされた「消火器」の文字である文字部とからなる。
【００１５】
また、図１に示すように、上記消火器ボックス１は、本考案の要旨として、上記扉２が、その表面（正面）に注目部２０を具備する。この注目部２０は、十分な注目度を有するためにも、一体物で縦長に（横方向よりも上下方向が長く）されており、好ましくは上記扉２の横幅よりも上下方向が長くされる。
【００１６】
以下、本考案の要旨である注目部２０について詳細に説明する。
上記注目部２０は、上記扉２における表記３および注目部２０以外の部分と異なる色にされる。例えば、上記扉２における表記３および注目部２０以外の部分は白色であるのに対し、注目部２０は何らかの着色がされる。上記注目部２０の色は、黄色、桃色、灰色、茶色、黒色など、動物が想起されるようなものである。勿論、上記注目部２０は、一色で塗りつぶされるものに限られず、動物が想起されるように、複数色が配色されたものでもよい。
【００１７】
また、上記注目部２０は、図１に示すように、胴部２５と、この胴部２５の上方に接続された頭部２２と、この頭部２２から上方に突出した２つの突出部２１と、上記胴部２５から下方に突出した２つの脚部２６とを有する。上記胴部２５は、扉２の上下方向中央よりも下に位置する。上記頭部２２は、注目部２０を構成する部分のうち、胴部２５に次いで（または胴部２５よりも）大きくされる。この頭部２２と上記胴部２５との接続は、直接されてもよく、頸部２３を介してされてもよい。このように、注目部２０は、上記胴部２５、頭部２２（および頸部２３）、突出部２１、および脚部２６を有することにより、擬人化された動物を想起させるものである。すなわち、上記胴部２５は動物の胴体に相当し、上記頭部２２（および頸部２３）は動物の頭（および頸）に相当し、上記突出部２１は動物の角または耳に相当し、上記脚部２６は二足歩行する（つまり擬人化された）動物の脚に相当する。なお、上記注目部２０は、提示部２４を有してもよい。この提示部２４には、上記表記３と同様に、消火器Ｅの設置を示すものでもよく、想起される擬人化された動物の種類（例えば、「きりん」や「うさぎ」など）を示すものでもよい。
【００１８】
さらに、上記注目部２０は、扉２に貼り付けられたシールである。これにより、上記注目部２０は、図６および図７に示すような従来の消火器ボックス１の扉２に貼り付けられることで、容易に従来の消火器ボックス１０（図６および図７参照）が本考案の実施の形態に係る消火器ボックス１（図１参照）になる。また、上記シールは、正面板に貼り付けられるための熱溶融型の粘着剤を有する。ここで、上記熱溶融型とは、１００℃以上で溶融するものを意味する。これにより、上記扉２に貼り付けられたシールは、平時（火災時以外）だと炎天下に晒されても剥がれないが、火災時だと炎からの熱を受けて剥がれ始めることになる。すなわち、上記扉２に貼り付けられたシールは、火災時において、扉２から一部が剥がれたりまたは剥がれ落ちたりするものである。言い換えれば、上記扉２に貼り付けられたシールは、平時（火災時以外）と火災時とで状態が異なるものである。
【００１９】
加えて、上記注目部２０は、その表面に光沢性を有するものである。ここで、上記光沢性とは、６０°―６０°の鏡面光沢度が７０％以上のものを意味する。これにより、上記注目部２０は、火災時において、炎からの光を十分に反射するものである。
【００２０】
以下、上記消火器ボックス１の使用方法について説明する。
上記消火器ボックス１は、その筐体５に消火器Ｅを縦置きで収納した上で、建物における所定の場所（法令で定められた場所）に配置される。なお、平時（火災時以外）だと、一般的に扉２が１００℃以上の温度にならないので、粘着部が溶融することはなく、注目部２０であるシールが扉２から剥がれない。
【００２１】
一方で、火災時だと、早急に消火器ボックス１を発見する必要がある。これに関して、注目部２０は、一体物で縦長であるとともに、上記扉２における表記３および注目部２０以外の部分と異なる色にされるので、十分な注目度を有する。また、注目部２０は、擬人化された動物を想起するようなものであるから、漢字を読めない幼児でも識別される。
【００２２】
特に、炎の近くの消火器ボックス１は、炎からの熱を受けて扉２の温度が１００℃以上になることで、注目部２０であるシールが扉２から一部が剥がれたりまたは剥がれ落ちたりする。また、炎の近くの消火器ボックス１は、注目部２０が炎からの光を十分に反射する。
【００２３】
このように、上記消火器ボックス１によると、その注目部２０は十分な注目度を有するので、容易に発見されることができる。
また、上記注目部２０は、漢字を読めない幼児でも識別されるので、幼児による発見も期待でき、幼児施設でも容易に発見されることができる。
【００２４】
さらに、上記注目部２０は、平時（火災時以外）と火災時とで状態が異なるので、火災時において容易に発見されることができる。
加えて、上記注目部２０は、炎からの十分に光を反射するので、火災時において一層容易に発見されることができる。
【００２５】
また、上記注目部２０をシールとすることにより、容易に従来の消火器ボックス１０から本考案の実施の形態に係る消火器ボックス１にすることができ、言い換えれば、容易に消火器ボックス１を製造することができる。
【００２６】
ところで、本考案の消火器設置具を簡単に記載すると、以下の第一態様〜第五態様の通りである。
［第一態様］
縦長の正面板を備えるとともに、消火器の設置を示す表記が正面板にされた消火器設置具であって、
上記正面板が、一体物で縦長の注目部を具備し、
注目部が、正面板における表記および注目部以外の部分と異なる色にされたものであることを特徴とする消火器設置具。
【００２７】
［第二態様］
注目部が、胴部と、この胴部の上方に接続された頭部と、この頭部から上方に突出した２つの突出部と、上記胴部から下方に突出した２つの脚部とを有することを特徴とする上記第一態様に記載の消火器設置具。
【００２８】
［第三態様］
注目部が、その表面に光沢性を有するものであることを特徴とする上記第一態様または第二態様に記載の消火器設置具。
【００２９】
［第四態様］
注目部が、正面板に貼り付けられたシールであることを特徴とする上記第一態様乃至第三態様のいずれか一つに記載の消火器設置具。
【００３０】
［第五態様］
シールが、正面板に貼り付けられるための熱溶融型の粘着剤を有することを特徴とする第四態様に記載の消火器設置具。
【００３１】
以下、上記実施の形態をより具体的に示した実施例に係る消火器ボックス１について説明する。なお、以下の実施例では、上記実施の形態と異なる構成に着目して説明するとともに、上記実施の形態と同一の構成については、同一符号を付してその説明を省略する。
【実施例１】
【００３２】
図２に示すように、本実施例１に係る消火器ボックス１では、突出部２１が動物の角に相当し、提示部２４が消火器Ｅの設置を示すものである。また、注目部２０は、上記扉２の横幅よりも上下方向が長くされ、一層十分な注目度を有する。
【実施例２】
【００３３】
図３に示すように、本実施例２に係る消火器ボックス１では、突出部２１が動物の耳に相当し、注目部２０が頸部２３を有さず、提示部２４が消火器Ｅの設置を示すものである。また、注目部２０は、上記扉２の横幅よりも上下方向が長くされ、一層十分な注目度を有する。
【００３４】
ところで、上記実施の形態および実施例では、消火器ボックス１の種類について説明しなかったが、据置でもよく、図４に示すような壁埋込であってもよい。壁埋込の消火器ボックス１は、図４に示すように、壁Ｗに埋め込まれて、扉２（正確には注目部２０）がフロアＦにいる人から見えるように配置される。
【００３５】
また、上記実施の形態および実施例では、消火器設置具の一例として消火器ボックス１について説明したが、図５に示すような消火器設置台でもよい。この消火器設置台は、図５に示すように、消火器Ｅが載置される台座板５Ａと、この台座板５Ａの一端に立設された正面板２Ａとを有する。
【符号の説明】
【００３６】
１  消火器ボックス
２  扉（正面板）
３  表記
４  穴部
５  筐体
２０  注目部
２１  突出部
２２  頭部
２３  頸部
２４  提示部
２５  胴部
２６  脚部
【図１】
0003190679.tif 000003
【図４】
0003190679.tif 000004
【図５】
0003190679.tif 000005
【図６】
0003190679.tif 000006
【図７】
0003190679.tif 000007
【図２】
0003190679.tif 000008
【図３】
0003190679.tif 000009